(57)【特許請求の範囲】
【請求項１】
少なくとも前後一対のニードルベッドを対向配置した横編機を用いて第１の身頃と第２の身頃が前後に重ねられた状態で編成される筒状の身頃と、それぞれが前後に重ねられた状態で編成される左右筒状の両袖とを、裾から脇下まで編成した後、袖と身頃を接合するニット衣類の編成方法であって、以下の工程を含むことを特徴とするニット衣類の編成方法；
１）  第１および第２の身頃、および左右両袖を１つの筒状体として編成する工程
２）  工程１の間に第１、第２の身頃の少なくとも一方の身頃に衿ぐりを形成する工程
３）  袖を身頃側に移動さ身頃と袖を袖ぐり部で接合する工程
４）  袖と第１の身頃のコース編成を完了し、残る第２の身頃のコース編成を続行する工程
５）  工程４においてコース編成が続行される第２の身頃を肩ラインまで編成するとともに、その間に第２の身頃を袖側に移動させながら、第２の身頃と、肩ラインを基準として同じ側に形成される袖とを接合部において第２の身頃の編目が袖の編目の表側に現れるように接合する工程
６）  コース編成が続行される第２の身頃を肩ラインを越えて編成するとともに、その間に第２の身頃を衿ぐり側に移動させながら、第２の身頃と、工程５で接続された袖と肩ラインを基準として反対側に形成された袖とを接合する工程
７）  第１の身頃と第２の身頃を肩部で接合する工程
【請求項２】
頃を袖側に移動させ身頃の編目が袖の編目の表側に現れるように身頃と袖を接合する工程が以下の工程を含むことを特徴とする請求の範囲第１項記載のニット衣類の編成方法；
１）  袖の身頃側側端の編目を身頃の袖側側端の編目側に目移しし、袖の編目を身頃の編目の裏側に重ねる工程
２）  身頃を袖側に移動させる工程
【発明の詳細な説明】
技術分野
本発明は横編機を用いたニット衣類の編成方法に関し、特に前身頃と後身頃を筒状に編成した後、筒状に編成した袖と前後両身頃を横編機上で接合する編成方法に関する。
背景技術
筒状に編成した前後両身頃と袖を横編機上で接合し、リンキング等の縫製工程を不要または軽減できるニット衣類の編成方法として本出願人は日本特開平９−２７３０５１号公報の編成方法を先に出願している。該公報では、第１図から第３図に示すように（第１図はニット衣類を横編機上で編成される状態に配した図である。第２図の２−Ａはセーター１の右半分の正面図であり、２−Ｂは背面図である。第３図は第２図のセーター１を肩部を中心に展開した図である）、筒状に形成された袖４，１４を前ベッドで編成される前身頃２ａおよび後ベッドで編成される後身頃２ｂと接合した後、前身頃２ａと後身頃２ｂの最終コースの編目を肩で接合して袖４，１４と前後身頃２ａ，２ｂが接合されたニット衣類を編成する際に、肩部において前身頃２ａを後身頃２ｂよりも長く編成することで、前身頃２ａと後身頃２ｂの接合箇所１９を通常の肩ライン１５よりも後身頃側に移動した箇所に形成し、前身頃２ａと後身頃２ｂの接合箇所１９が肩ライン１５に制限されない多様なシルエットのニット衣類を編成可能な編成方法が開示されている。
上記した特開平９−２７３０５１号公報の編成方法では、第３図において矢印Ｚ方向に編成される袖４は身頃２ａ，２ｂとの接合開始後、身頃２ａ，２ｂおよび袖４のそれぞれに次コースの編目を形成しながら接合するが、袖４の最後となる領域Ｗにおいては身頃２ａのみに次コースの編目の形成を行い、袖４には次コースの編目を形成することなく身頃２ａと接合する。このため、領域Ｗの編目は前身頃２ａとの接合を行う間、新たな編目が形成されることなく目移しが繰り返されるため、弱い編糸を編成に使用する場合や、目移し回数が多くなるゲージの細かい編機で編成を行う場合には糸切れが発生する虞がある。
本発明は上記した問題に鑑み、上記した特開平９−２７３０５１号公報に開示されるシルエットのニット衣類を編成する方法であって、特に弱い編糸を編成に使用する場合や、ゲージの細かな編機で編成を行う場合でも糸切れの発生することのない編成方法を開示しようとするものである。
発明の開示
上記した課題を解決するため、本発明のニット衣類の編成方法は、少なくとも前後一対のニードルベッドを対向配置した横編機を用いて第１の身頃と第２の身頃が前後に重ねられた状態で編成される筒状の身頃と、それぞれが前後に重ねられた状態で編成される左右筒状の両袖とを裾から脇下まで編成した後、袖と身頃を接合するニット衣類の編成であって、
１）  第１および第２の身頃、および左右両袖を１つの筒状体として編成する工程
２）  工程１の間に第１、第２の身頃の少なくとも一方の身頃に衿ぐりを形成する工程
３）  袖を身頃側に移動させ身頃と袖を袖ぐり部で接合する工程
４）  袖と第１の身頃のコース編成を完了し、残る第２の身頃のコース編成を続行する工程
５）  工程４においてコース編成が続行される第２の身頃を肩ラインまで編成するとともに、その間に第２の身頃を袖側に移動させながら、第２の身頃と、肩ラインを基準として同じ側に形成される袖とを接合部において第２の身頃の編目が袖の編目の表側に現れるように接合する工程
６）  コース編成が続行される第２の身頃を肩ラインを越えて編成するとともに、その間に第２の身頃を衿ぐり側に移動させながら、第２の身頃と、工程５で接続された袖と肩ラインを基準として反対側に形成された袖とを接合する工程
７）  第１の身頃と第２の身頃を肩部で接合する工程
を含むことを特徴とする。
上記した発明の構成によれば、それぞれが筒状に形成される身頃と左右両袖を接合して一つの大きな筒状体として編成する過程において一方の身頃、例えば後身頃、または他方の身頃、例えば前身頃に衿ぐりを形成するとともに、袖を身頃側に移動させて身頃と袖を接合する。そして袖および後身頃のコース編成を完了した後、前身頃のコース編成を続行する。前身頃を肩ラインに向けて形成する間に衿ぐりと袖間に位置する前身頃を袖側に移動させ、肩ラインを基準として前身頃と同じ側に形成される前袖部分を前身頃の編目が前袖部分の編目の表側に現れるように重ねて接合し、続いて前身頃を肩ラインを越えて編成する間に前身頃を衿ぐり側に移動させ、肩ラインを基準として前身頃と反対側に形成される後袖部分を接合する。次ぎに後身頃と、袖との接合が完了した前身頃を肩部で接合する。上記の編成を行うことで、前身頃がニット衣類の着用時の肩ラインを越えて後身頃側に進入する。この結果、一方の身頃と他方の身頃の接合箇所を肩ラインから離れて配置でき、シルエットが向上し、かつ一方の身頃のデザインが肩ラインで途切れるのを防止できる。前身頃のみを編成しながら袖と接合する際に、次コースの編目の形成が引き続いて行われる前身頃を袖側に移動させて前身頃と袖を接合する編成を含めることで、次コースの編目が形成されない袖の編目の目移しを不要とするか又回数を少なくし袖の編目の糸切れ発生を防止する。また、袖を身頃側に移動させて接合する編成においても、身頃を袖側に移動させて接合する編成においても身頃の編目が袖の編目の表側に現れるように重ねて身頃と袖を接合することで、アームホールラインにおいて身頃の編目が袖の編目の表側に現れたきれいなアームホールラインが形成される。
また、身頃を袖側に移動させ身頃の編目が袖の編目の表側に現れるように身頃と袖を接合する工程が
１）  袖の身頃側側端の編目を身頃の袖側側端の編目側に目移しし、袖の編目を身頃の編目の裏側に重ねる工程
２）  身頃を袖側に移動させる工程
を含むことも特徴の一つである。
上記した発明の構成によれば、身頃を袖側に移動させて接合する際に、身頃を袖側に移動させる前に袖の身頃側側端の編目を身頃の編目を重ねた後、身頃の編目を袖側に移動させることで、袖を身頃側に移動させる編成と同様に身頃の編目が袖の編目の表側に現れたアームホールラインを形成する。
【図面の簡単な説明】
第１図はセーターの各パーツを横編機上で編成する状態に配列したもので、前身頃と両前袖のデザイン、並びに後身頃と両後袖のデザインを示し、第２図の２−Ａはセーターの右半分の正面図、２−Ｂはセーターの右半分の背面図であり。第３図はセーターを肩ラインで展開した図であり、第４図は袖を編成しながら身頃と接合する部分の編成コース図であり、第５図は袖を編成しながら身頃と接合する部分の編成コース図であり、第６図は袖の編成完了後、身頃と接合する部分の編成コース図であり、第７図は袖の編成完了後、身頃と接合する部分の編成コース図であり、第８図は袖の編成完了後、身頃と接合する部分の編成コース図である。
発明を実施するために最良の形態
本発明の実施の形態を、第１図〜第８図を参照して説明する。実施例では、衣類として無地のセットインスリーブのセーター１を編成する場合を例に説明する。第１図はセーター１を構成する各パーツを横編機上で編成される状態に配したもので、図の上部にセーター着用時に前側に現れる前身頃２ａと前袖４ａ，１４ａを示し、これらは横編機の前ニードルベッド上の針で編成される。図の下部に着用時に後側に現れる後身頃２ｂと後袖４ｂ，１４ｂを示し、これらは後ニードルベッド上の針で編成される。線Ｘ−Ｘはセーター１の中心線で、セーター１は左右対称である。符号９は衿ぐりを、符号６，７，１７は裾ゴムを示す。
点Ａ，Ｈ、点Ｅ，Ｋ、点ａ，ｈ、点ｅ，ｋは、脇下における身頃２と袖４，１４との接合点である。袖ぐり８ａ，ｂでは、前身頃２ａと前袖４ａ，１４ａの接合は線Ａ−Ｂと線Ｈ−Ｉや、線ａ−ｂと線ｈ−ｉで行われ、後身頃２ｂと後袖４ｂ，１４ｂとの接合は線Ｅ−Ｆと線Ｋ−Ｊや、線ｅ−ｆと線ｋ−ｊで行われる。注目すべきことは、前身頃２ａと後身頃２ｂは点Ｂ，ｂ，Ｆ，ｆ以降の部分１１，１２で形状が異なることである。即ち、袖山頂部の線Ｉ−Ｊ、線ｉ−ｊは、前身頃２ａの部分１１の線Ｂ−Ｃ、線ｂ−ｃと接合される。また前身頃２ａと後身頃２ｂの肩部での接合は、線Ｃ−Ｄと線Ｆ−Ｇや、線ｃ−ｄと線ｆ−ｇで行われる。
第１図のパーツに基づいて編成されたセーター１を、第２図に示す。２−Ａはセーター１の右半分の正面図で、２−Ｂはセーターの右半分の背面図である。第３図にセーター１を肩ライン１５を中心にして展開して示す。第３図から明らかなように、前身頃２ａの編地が肩ライン１５を越えて後身頃２ｂに侵入している。また前身頃２ａと後身頃２ｂとの接合部１９には、所定数のウェールからなるファッションライン２０が形成されている。
上記のように、横編機を使用して袖４，１４、身頃２を筒状に編成し、編成中に袖４，１４と身頃２を接合して、編成完了時に略完成品に近いセーターを製造する方法は公知である。以下の説明においては前後一対のニードルベッドの上方にニードルベッドの編針との間で目移しが可能なトランスファージャック（以下、ＴＲジャックと呼ぶ）がニードルベッドの針と同ピッチで装着されるトランスファージャックベッド（以下、ＴＲジャックベッドと呼ぶ）を備えた横編機を使用する場合を説明する。しかしながら、本発明は以下の説明で使用するタイプと横編機に限らず、下部ニードルベッド上に上部ニードルベッドが装着される四枚ベッド横編機や、前後のいずれのニードルベッドとの間において目移し可能なＴＲジャックベッドが前後一対のニードルベッドの何れか一方のニードルベッドの上方にのみ設けられる三枚ベッド横編機や、前後一対のニードルベッドのみが設けられる二枚ベッド横編機においても実施可能である。また、二枚ベッド横編機を使用する場合には、ニードルベッドの奇数番目の針を例えば前側編地用とし、偶数番目の針を後側編地用として、前後ニードルベッドのそれぞれ１本置きの針を使用する。これにより各編地は、対向するニードルベッド上に目移し用の空針を常に確保でき、両袖を横方向に移動させて身頃に接合することができる。
セーター１は裾ゴム６ａ，ｂ，７ａ，ｂ，１７ａ，ｂから編成を開始し、各裾ゴム部は編糸を周回編成する等により筒状に編まれる。本実施の形態では、周回編成することで筒状編地を編成しているが、例えば前身頃と後身頃を別々の給糸口を使用して編成するとともに、それぞれの編成に使用される編糸を編成領域の両端で交差させて編成することにより筒状編地を編成してもよい。また、ニット衣類としてセーター１を編成する場合を説明するが、カーディガンのようなニット衣類においても実施可能である。裾ゴム部の編成完了後、身頃２と袖４，１４の編成に移り、所定コース編成する毎にウェール数を増加させながら、脇下まで編成する。脇下のところで身頃２と袖４，１４の各筒状体を接合させ、脇下から袖ぐり形成部にかけて、身頃２と袖４，１４を所定コース編成する毎に袖４，１４を身頃側２に移動させて、袖ぐり８ａ，ｂのところで編目を重ねる。このようにして、前身頃２ａの線Ａ−Ｂと前袖４ａの線Ｈ−Ｉ、後身頃２ｂの線Ｅ−Ｆと後袖４ｂの線Ｋ−Ｊ、および前身頃２ａの線ａ−ｂと前袖１４ａの線ｈ−ｉ、後身頃２ｂの線ｅ−ｆと後袖１４ｂの線ｋ−ｊを接合する。このため筒体中の袖４，１４の編み幅は減少してゆき、同時に衿ぐり９ａが形成される。
以下、第４図から第８図を使用して編成について説明するが、右袖１４と身頃２ａ，２ｂを接合する編成と、左袖４と身頃２ａ，２ｂを接合する編成は左右対称となる以外は共通であるため、第１図のＸ−Ｘ線の右側に形成される左袖４と身頃部２ａ，２ｂを接合する編成に限って説明する。また、身頃２ａ，２ｂと袖４の接合開始前の編成、および身頃２ａ，２ｂと袖４の接合完了後の編成については特開平９−２７３０５１号公報等により明らかであるため、身頃２ａ，２ｂと袖４を接合する編成開始から身頃２ａ，２ｂと袖４の接合が完了するまでの編成について説明する。なお、第４図〜第８図において、左側の数字はコース番号を、ＦＢは前ベッド、ＢＢは後ベッドを、ＦＴは前ＴＲジャックベッド、ＢＴは後ＴＲジャックベッドを示し、左右方向の矢印は給糸口２１の進行方向を、上下方向の矢印は目移し方向を示す。
まず、第４図および第５図を使用し身頃および袖のそれぞれに次コースの編目を形成しながら接合を行う前身頃Ａ−Ｂと袖Ｈ−Ｉ、および後身頃Ｅ−Ｆと袖Ｋ−Ｊの接合編成について説明する。第４図のコース１は接合を行うための編成の開始直前の状態を示している。前ベッドの針Ａ〜Ｊに係止されているのが前身頃２ａの編目であり、後ベッドの針Ａ〜Ｊに係止されているのが後身頃２ｂの編目である。前ベッドの針Ｋ〜Ｒに係止されているのが前ベッド上で編成される前袖部４ａであり、後ベッドの針Ｋ〜Ｒに係止されているのが後ベッド上で編成される後袖部４ｂである。コース１では身頃２ａ，２ｂと袖４の両方の編成に使用する給糸口２１により前ベッドの針Ａ〜Ｒに給糸し、前身頃および前袖４ａに次コースの編目を形成する。コース２では後ベッドの針Ｒ〜Ａに給糸して後身頃２ｂおよび後袖４ｂに次コースの編目を形成する。身頃２ａ，２ｂと袖４の接合開始後、衿ぐり９の形成開始前は前後身頃２ａ，２ｂおよび左右両袖４，１４に環状に給糸して一つの筒状体として編成し、衿ぐり９の形成開始後は衿ぐり９で給糸口２１を反転走行させて編成を行う。コース３では袖を身頃側に移動させるため、前袖の編目を後ＴＲジャックベッドのＴＲジャックｋ〜ｒに目移し、コース４では後ＴＲジャックベッドを左に１ピッチラッキングした後、前袖４ａの編目を前ベッドに移すことで前袖４ａの身頃側側端の編目が前ベッドの針Ｊに係止されている前身頃２ａの編目の裏側（筒状に編成される編地の外に現れる側を表側とし、内に隠れる側を裏側とする）に重ねられた状態とする。コース５では後袖４ｂの編目を前ＴＲジャックベッドのＴＲジャックｊ〜ｑに目移し、コース６では後ＴＲジャックベッドを右に１ピッチラッキングした後、後袖４ｂを後ベッドに移すことで後袖４ｂの身頃側側端の編目が後ベッドの針Ｊに係止されている後身頃２ｂの編目の裏側に重ねられた状態とし身頃２ａ，２ｂと袖４を接合する。次ぎに第５図のコース７では後ベッドの針Ａ〜Ｑに給糸し、コース８では前ベッドの針Ｑ〜Ａに給糸して身頃２ａ，２Ｂに次コースの編目を形成する。上記したようにコース３からコース６に示される接合編成と、身頃２ａ，２ｂおよび袖４に次コースの編目を形成する編成を、身頃２ａ，２ｂと袖４の接合が開始される脇部分では１２コース編成する毎に１度接合編成を行い、肩部分に近づくにつれて８コースに１度、４コースに１度というように接合編成の頻度を変えながら身頃と袖を接合することで袖を任意の角度で身頃に接合できる。
次ぎに第６図から第８図を使用し袖のコース編成が完了した後の前身頃Ｂ−Ｃと袖Ｉ−Ｊを接合する領域Ｗでの編成について説明する。第６図のコース１は第４図から第５図の編成を繰り返し行うことで袖４の編目が減らされ、前ベッドの針Ｉ〜Ｌに前袖４ａの編目が、後ベッドの針Ｉ〜Ｌに後袖４ｂの編目が係止された状態を示している。前ベッドの針Ｃより左側では衿ぐり９が形成されている。衿ぐり９が形成されている箇所では、衿ぐりに相当する部分の編目が針から外された状態となっているため、衿ぐりの両側に形成される身頃を反対側、つまり衿ぐりの右側に形成される前身頃を右袖１４側に、衿ぐりの左側に形成される前身頃を左袖４側に移動させることが可能となる。これにより前身頃２ａを袖４側に移動させて接合することが可能で、次コースの編目の形成を行わない袖４の編目の目移しが不要となる。なお、本実施の形態では衿ぐりを前身頃２ａにのみ設けているが、前身頃２ａと同様に後身頃２ｂにも衿ぐりを形成してもよい。第６図のコース２では前袖４ａの身頃側側端の編目を後ＴＲジャックベッドのＴＲジャックｉに目移しし、コース３では後ＴＲジャックベッドを左に１ピッチラッキングした後、前ベッドの針Ｈに目移しし、針Ｈに係止されている前身頃２ａの袖側側端の編目の裏側に重ねて前身頃２ａと前袖４ａを接合し、次ぎにコース４では前ベッドの針Ｃ〜Ｈに給糸し、前身頃２ａに次コースの編目を形成する。コース５では給糸口２１を反転した後、前ベッドの針Ｈ〜Ｃに給糸して前身頃２ａを編成する。コース６では新たに形成した前身頃２ａの編目を後ＴＲジャックベッドのＴＲジャックｄ〜ｉに目移しし、第７図のコース７では後ＴＲジャックベッドを右に１ピッチラッキングした後、前ベッドの針Ｄ〜Ｉに目移しし、前身頃２ａと前袖４ａが隣接する状態とする。上記第６図のコース２〜第７図のコース７に示されるように、前身頃２ａを肩ライン１５を基準に同じ側に形成される前袖４ａを接合する編成を、前身頃２ａを袖４側に移動させながら繰り返し行うことにより、第７図のコース８に示すように前袖４ａの全ての編目が前身頃２ａと接合され、前身頃２ａと前袖４ａの接合が肩ラインまで完成した状態となる。
次ぎに前身頃２ａと前袖４ａの接合が完成し、肩ライン１５を越えて後身頃側に進入して形成される部分の前身頃２ａと後袖４ｂの接合方法について説明する。肩ライン１５を越えた後においても前身頃２ａを袖４側に移動させて接合を行うが、袖４は肩ラインを中心に前袖４ａと後袖４ｂが折り返した状態で編成されるため、後袖４ｂとの接合においては前身頃２ａを衿ぐり側となる左側に移動させながら接合を行う。コース９では後袖４ｂの身頃側端の編目を前ベッドの針Ｌに目移しして前身頃２ａの袖側側端の編目の裏側に重ねる。そしてコース１０およびコース１１では前ベッドの針Ｇ〜Ｌに給糸して前身頃２ａに続くコースの編目を形成する。次ぎにコース１２では前身頃２ａの編目を後ＴＲジャックベッドのＴＲジャックｇ〜ｌに目移しし、第８図のコース１３では後ＴＲジャックベッドを右に１ピッチラッキングした後、前身頃２ａを前ベッドの針Ｆ〜Ｋに目移しする。コース１４では後ベッドを左に針１ピッチラッキングした後、後ベッドの針Ｋに係止されている後袖４ｂの編目を前ベッドに目移しして前身頃２ａの編目の裏側に重ね、第８図のコース１５およびコース１６では前ベッドの針Ｆ〜Ｋに給糸して前身頃２ａを編成する。以降第７図のコース１２〜第８図のコース１６に示される編成を繰り返し行うことで前身頃２ａと肩ライン１５を基準として反対側に形成される後袖４ｂと接合され、コース１７に示すように前身頃２ａと後身頃２ｂの編目のみが形成された状態となる。以後特開平９−２７３０５１号公報に開示される方法により前身頃２ａと後身頃２ｂが接合されてセーター１の編成が完成する。
上記したように本実施の形態の編成方法では前身頃２ａと袖４を接合する際に、編成が完了し新たな編目の形成を行わない袖４の編目を前身頃２ａ側に目移しする必要がないので、弱い糸を編成に使用する場合や、細かなゲージの横編機で編成を行う場合でも糸切れ等の問題の発生を回避できる。また、前身頃２ａを袖４側に移動させて接合する際に、移動させる前身頃２ａの編目を袖４の編目の裏側に重ねるのではなく、前身頃２ａの編目が袖４の編目の表側に重ねるようにして接合しているため、移動される側の前身頃２ａの編目が編地表面に現れるきれいなアームホールラインを形成できる。上記した実施の形態においては、前身頃２ａを袖４側に移動させて接合する際に、袖４の身頃側側端の編目を前身頃２ａの編目に重ねた後、前身頃２ａの編目を袖４側に移動させることで身頃の編目を袖の編目の表側に重ねているが、前身頃２ａを袖４側に移動させる際に前身頃２ａの編目と重ねられる袖４の編目を予めＴＲジャックに移動させてから身頃を袖側に移動させ、その後、袖４の編目を移し戻すことで身頃２ａの編目を袖４の編目の表側に重ねるようにしてもよい。
なお、上記した実施の形態においては、袖４の編成完了後、前身頃２ａを移動させて接合するようにしているが、袖の編目に負担がかからない程度まで編成完了後の袖４を前身頃２ａ側に移動させて接合してもよい。また、身頃２ａ，２ｂおよび袖４を平編組織で編成する場合を説明したが、トランスファージャックベッドの代わりに上部ベッドが設けられる四枚ベッド横編機や編目の形成に使用する針間に目移し用の空針を配置して編成を行う場合にはリンクス、ガーター、リブ等のような表目と裏目が混在する編組織により編成することも可能である。
産業上の利用可能性
上記したように本発明のニット衣類の編成方法では、筒状の身頃と筒状の袖を接合して１つの筒状体として編成するとともに、他方の身頃よりも長く編成される一方の身頃を編成の完了した袖と接合し、一方の身頃が肩ラインを越えて他方の身頃側に進入したシルエットの編地を編成する際に、引き続き次コースの編目の形成が行われる身頃を袖側および衿ぐり側に移動させて接合するとともに、身頃と袖の編目を重ねる際に、身頃の編目を袖の編目の表側に現れるように重ねて接合するため、弱い編糸を編成に使用する場合や、ゲージの細かな横編機で編成を行う場合でも、糸切れの発生を心配することなく編成できるとともに、身頃の編目が袖の編目の表側に現れるきれいなアームホールラインが形成された商品価値の高いニット衣類を編成できる。
【図１】
0003541177.tif 000002
【図２】
0003541177.tif 000003
【図３】
0003541177.tif 000004
【図４】
0003541177.tif 000005
【図５】
0003541177.tif 000006
【図６】
0003541177.tif 000007
【図７】
0003541177.tif 000008
【図８】
0003541177.tif 000009